(57)【要約】【課題】対向通信装置との間のＲＬＣコネクションが切断しないように、適正にかつ簡易に現用装置から予備装置へのＲＬＣコネクション切替を行うことができるＲＬＣ機能付通信装置及びＲＬＣコネクション切替方法を提供すること。【解決手段】本発明のＲＬＣ機能付通信装置１００は、現用装置１０１から予備装置１０２へのＲＬＣコネクションの切替時に、現用装置１０１に保持されているＲＬＣコネクション情報のうちリセットコマンドに付与され前記リセットコマンドの受信側でコマンドの再送判定に使用するためのＲＳＮ値と送受信データの秘匿及び秘匿解除に使用するＨＦＮ値とを前記予備装置に通知する引継装置１０４と、予備装置１０２に通知された前記ＲＳＮ値及び前記ＨＦＮ値で予備装置１０２のＲＬＣコネクション情報を更新する合成装置１０５と、を具備する。【選択図】　　　図１
2004147203.tif 000002
【特許請求の範囲】
【請求項１】
現用装置から予備装置へのＲＬＣコネクションの切替時に前記現用装置に保持されているＲＬＣコネクション情報のうちリセットコマンドに付与され前記リセットコマンドの受信側でコマンドの再送判定に使用するためのＲＳＮ値と送受信データの秘匿及び秘匿解除に使用するＨＦＮ値とを前記予備装置に通知する引継手段と、前記引継手段により前記予備装置に通知された前記ＲＳＮ値及び前記ＨＦＮ値で前記予備装置のＲＬＣコネクション情報を更新する合成手段と、を具備することを特徴とするＲＬＣ機能付通信装置。
【請求項２】
ＲＬＣ機能が用いるＲＬＣコネクション情報を保持するＲＬＣコネクション情報保持部を有し前記ＲＬＣ機能を用いて対向通信装置とデータの通信を行う現用装置及び前記予備装置と、前記現用装置と前記予備装置との間に接続されている前記引継手段及び前記合成手段と、を具備し、前記引継手段は、前記現用装置から前記予備装置へのＲＬＣコネクションの切替時に前記現用装置の前記ＲＬＣコネクション情報保持部に保持されているＲＬＣコネクション情報のうちリセットコマンドに付与され前記リセットコマンドの受信側でコマンドの再送判定に使用するためのＲＳＮ値と送受信データの秘匿及び秘匿解除に使用するＨＦＮ値とを前記予備装置に通知し、前記合成手段は、前記引継手段により前記予備装置に通知された前記ＲＳＮ値及び前記ＨＦＮ値で前記予備装置の前記ＲＬＣコネクション情報を更新することを特徴とする請求項１記載のＲＬＣ機能付通信装置。
【請求項３】
前記合成手段は、前記現用装置から前記予備装置へのＲＬＣコネクション切替時に、前記予備装置のＲＬＣ機能部に指示して対向通信装置に対しリセットコマンドを送信させた後に前記予備装置を現用装置に切り替えることを特徴とする請求項１又は請求項２記載のＲＬＣ機能付通信装置。
【請求項４】
現用装置から予備装置へのＲＬＣコネクションの切替時に前記現用装置に保持されているＲＬＣコネクション情報のうちリセットコマンドに付与され前記リセットコマンドの受信側でコマンドの再送判定に使用するためのＲＳＮ値と送受信データの秘匿及び秘匿解除に使用するＨＦＮ値とを前記予備装置に通知する引継ステップと、前記引継ステップにおいて前記予備装置に通知された前記ＲＳＮ値及び前記ＨＦＮ値で前記予備装置のＲＬＣコネクション情報を更新する合成ステップと、を具備することを特徴とするＲＬＣコネクション切替方法。
【発明の詳細な説明】
【０００１】
【発明の属する技術分野】
本発明は、Ｗ−ＣＤＭＡ方式の無線アクセスネットワークのレイヤ２に位置付けられる通信プロトコルであるＲＬＣ（Ｒａｄｉｏ　Ｌｉｎｋ　Ｃｏｎｔｒｏｌ）を使用して、ＲＬＣコネクションの切替を可能とするＲＬＣ機能付通信装置及びＲＬＣコネクション切替方法に関する。
【０００２】
【従来の技術】
現状において、ＲＬＣプロトコルは、３ＧＰＰにおいて標準化中であるため、従来技術としてはない。この種のプロトコル機能付通信装置及びコネクション切替方法としては、ＲＬＣコネクションの切替時に現用装置の全てのＲＬＣコネクション情報を予備装置に引き継ぐことが考えられる。
【０００３】
【発明が解決しようとする課題】
しかしながら、現用装置のＲＬＣコネクション情報を予備装置に引き継ぐ場合においては、予備装置が対向通信装置と正常に通信を継続するためには、現用装置が保持している全てのＲＬＣコネクション情報を、対向通信装置に引き継ぐ必要があるが、現用装置が保持している上位レイヤ手段から送信要求を受けたデータ、送達確認待ちのデータ及び複数のプロトコルタイマの起動状態等を引き継ぎ、予備装置でこれらの情報を再構築するのは困難であるという問題がある。
【０００４】
また、現用装置の全てのＲＬＣコネクション情報を予備装置に引き継ぐ場合においては、切り替るコネクション数が多い場合に、切替に時間が掛かるため、対向通信装置のＲＬＣ機能でデータの再送が規定回数を超過することによりＲＬＣコネクションの切替が完了する前に対向通信装置との間のＲＬＣコネクションが切断されるという問題がある。
【０００５】
本発明は、かかる点に鑑みてなされたものであり、対向通信装置との間のＲＬＣコネクションが切断しないように、適正にかつ簡易に現用装置から予備装置へのＲＬＣコネクション切替を行うことができるＲＬＣ機能付通信装置及びＲＬＣコネクション切替方法を提供することを目的とする。
【０００６】
【課題を解決するための手段】
本発明のＲＬＣ機能付通信装置は、現用装置から予備装置へのＲＬＣコネクションの切替時に前記現用装置に保持されているＲＬＣコネクション情報のうちリセットコマンドに付与され前記リセットコマンドの受信側でコマンドの再送判定に使用するためのＲＳＮ値と送受信データの秘匿及び秘匿解除に使用するＨＦＮ値とを前記予備装置に通知する引継手段と、前記引継手段により前記予備装置に通知された前記ＲＳＮ値及び前記ＨＦＮ値で前記予備装置のＲＬＣコネクション情報を更新する合成手段と、を具備する構成を採る。
【０００７】
この構成によれば、現用装置から予備装置へのＲＬＣコネクション切替時に、現用装置のＲＬＣコネクション情報のＲＳＮ値及びＨＦＮ値のみを予備装置に引き継げばよいから、対向通信装置との間のＲＬＣコネクションが切断しないように適正にかつ簡易に現用装置から予備装置へのＲＬＣコネクション切替を行うことができる。
【０００８】
本発明のＲＬＣ機能付通信装置は、ＲＬＣ機能が用いるＲＬＣコネクション情報を保持するＲＬＣコネクション情報保持部を有し前記ＲＬＣ機能を用いて対向通信装置とデータの通信を行う現用装置及び前記予備装置と、前記現用装置と前記予備装置との間に接続されている前記引継手段及び前記合成手段と、を具備し、前記引継手段が、前記現用装置から前記予備装置へのＲＬＣコネクションの切替時に前記現用装置の前記ＲＬＣコネクション情報保持部に保持されているＲＬＣコネクション情報のうちリセットコマンドに付与され前記リセットコマンドの受信側でコマンドの再送判定に使用するためのＲＳＮ値と送受信データの秘匿及び秘匿解除に使用するＨＦＮ値とを前記予備装置に通知し、前記合成手段が、前記引継手段により前記予備装置に通知された前記ＲＳＮ値及び前記ＨＦＮ値で前記予備装置の前記ＲＬＣコネクション情報を更新する構成を採る。
【０００９】
この構成によれば、現用装置から予備装置へのＲＬＣコネクション切替時に、現用装置のＲＬＣコネクション情報のＲＳＮ値及びＨＦＮ値のみを予備装置に引き継げばよいから、対向通信装置との間のＲＬＣコネクションが切断しないように適正にかつ簡易に現用装置から予備装置へのＲＬＣコネクション切替を行うことができる。
【００１０】
本発明のＲＬＣ機能付通信装置は、前記構成において、前記合成手段が、前記現用装置から前記予備装置へのＲＬＣコネクション切替時に、前記予備装置のＲＬＣ機能部に指示して対向通信装置に対しリセットコマンドを送信させた後に前記予備装置を現用装置に切り替える構成を採る。
【００１１】
この構成によれば、現用装置から予備装置へのＲＬＣコネクション切替時に、現用装置のＲＬＣコネクション情報のＲＳＮ値及びＨＦＮ値のみを予備装置に引き継げばよいから、対向通信装置との間のＲＬＣコネクションが切断しないように適正にかつ簡易に現用装置から予備装置へのＲＬＣコネクション切替を行うことができる。
【００１２】
本発明のＲＬＣコネクション切替方法は、現用装置から予備装置へのＲＬＣコネクションの切替時に前記現用装置に保持されているＲＬＣコネクション情報のうちリセットコマンドに付与され前記リセットコマンドの受信側でコマンドの再送判定に使用するためのＲＳＮ値と送受信データの秘匿及び秘匿解除に使用するＨＦＮ値とを前記予備装置に通知する引継ステップと、前記引継ステップにおいて前記予備装置に通知された前記ＲＳＮ値及び前記ＨＦＮ値で前記予備装置のＲＬＣコネクション情報を更新する合成ステップと、を具備するようにした。
【００１３】
この方法によれば、現用装置から予備装置へのＲＬＣコネクション切替時に、現用装置のＲＬＣコネクション情報のＲＳＮ値及びＨＦＮ値のみを予備装置に引き継げばよいから、対向通信装置との間のＲＬＣコネクションが切断しないように適正にかつ簡易に現用装置から予備装置へのＲＬＣコネクション切替を行うことができる。
【００１４】
【発明の実施の形態】
本発明の骨子は、現用装置から予備装置へのＲＬＣコネクション切替時に、現用装置のＲＬＣコネクション情報のＲＳＮ値及びＨＦＮ値のみを予備装置に引き継ぐことである。
【００１５】
以下、本発明の実施の形態について、図面を参照して詳細に説明する。
【００１６】
図１は、本発明の一実施の形態に係るＲＬＣ機能付通信装置の構成を示すブロック図である。
【００１７】
図１に示すように、ＲＬＣ機能付通信装置１００は、現用装置１０１、予備装置１０２、上位レイヤ間共有メモリ部１０３、引継装置１０４及び合成装置１０５を具備している。
【００１８】
現用装置１０１及び予備装置１０２は、対向通信装置（図示せず）に伝送路１０６を介して並列に接続されており、ＲＬＣ機能を用いて対向通信装置とデータの通信を行う。上位レイヤ間共有メモリ部１０３、引継装置１０４及び合成装置１０５は、現用装置１０１と予備装置１０２との間に接続されている。
【００１９】
現用装置１０１及び予備装置１０２は、同じ構成要素を有している。現用装置１０１及び予備装置１０２は、ＲＬＣコネクションの切替時にそれぞれ予備装置及び現用装置に切り替えられる。
【００２０】
現用装置１０１は、受信処理部１０１−１、送信処理部１０１−２、ＲＬＣ機能部１０１−３、ＲＬＣコネクション情報保持部１０１−４及び上位レイヤ部１０１−５を具備している。受信処理部１０１−１及び送信処理部１０１−２は、対向通信装置に伝送路１０６を介して接続されている。ＲＬＣ機能部１０１−３は、受信処理部１０１−１及び送信処理部１０１−２に接続されている。ＲＬＣコネクション情報保持部１０１−４は、ＲＬＣ機能部１０１−３に接続されている。上位レイヤ部１０１−５は、ＲＬＣ機能部１０１−３に接続されている。
【００２１】
予備装置１０２は、受信処理部１０２−１、送信処理部１０２−２、ＲＬＣ機能部１０２−３、ＲＬＣコネクション情報保持部１０２−４及び上位レイヤ部１０２−５を具備している。受信処理部１０２−１及び送信処理部１０２−２は、対向通信装置に伝送路１０６を介して接続されている。ＲＬＣ機能部１０２−３は、受信処理部１０２−１及び送信処理部１０２−２に接続されている。ＲＬＣコネクション情報保持部１０２−４は、ＲＬＣ機能部１０２−３に接続されている。上位レイヤ部１０２−５は、ＲＬＣ機能部１０２−３に接続されている。
【００２２】
引継装置１０４は、ＲＬＣ機能部１０１−３、１０２−３及び上位レイヤ部１０１−５、１０２−５に接続されている。合成装置１０５は、ＲＬＣ機能部１０１−３、１０２−３、ＲＬＣコネクション情報保持部１０１−４、１０２−４及び上位レイヤ部１０１−５、１０２−５に接続されている。
【００２３】
現用装置１０１及び予備装置１０２のＲＬＣコネクション情報保持部１０１−４、１０２−４には、運用初期において予め同一のＲＬＣコネクション情報が格納される。
【００２４】
受信処理部１０１−１は、対向通信装置から伝送路１０６を介して送信されてくるデータを受信するものである。送信処理部１０１−２は、伝送路１０６を介して対向通信装置へデータを送信するものである。ＲＬＣ機能部１０１−３は、通信プロトコルであるＲＬＣとしての機能を有する。ＲＬＣコネクション情報保持部１０１−４は、ＲＬＣ機能部１０１−３が用いるＲＬＣコネクション情報を保持する領域である。上位レイヤ部１０１−５は、ＲＬＣ機能を使用するアプリケーション又はＲＲＣ（Ｒａｄｉｏ　Ｒｅｓｏｕｒｃｅ　Ｃｏｎｔｒｏｌ）に相当する。
【００２５】
受信処理部１０２−１、送信処理部１０２−２、ＲＬＣ機能部１０２−３、ＲＬＣコネクション情報保持部１０２−４及び上位レイヤ部１０２−５は、受信処理部１０１−１、送信処理部１０１−２、ＲＬＣ機能部１０１−３、ＲＬＣコネクション情報保持部１０１−４及び上位レイヤ部１０１−５と同じものである。
【００２６】
引継装置１０４は、現用装置１０１から予備装置１０２へのＲＬＣコネクションの切替時に、現用装置１０１のＲＬＣコネクション情報保持部１０１−４に保持されているＲＬＣコネクション情報のうち、リセットコマンドに付与されリセットコマンドの受信側でコマンドの再送判定に使用するためのＲＳＮ値と、送受信データの秘匿及び秘匿解除に使用するＨＦＮ値と、を予備装置１０２に通知する。合成装置１０５は、予備装置１０２に通知されたＲＳＮ値及びＨＦＮ値で予備装置１０２のＲＬＣコネクション情報を更新する、すなわち、予備装置１０２に通知されたＲＳＮ値及びＨＦＮを予備装置１０２のＲＬＣコネクション情報に上書きする。
【００２７】
次に、ＲＬＣ機能付通信装置１００の動作について、図１と共に図２を参照して詳細に説明する。図２は、本発明の一実施の形態に係るＲＬＣ機能付通信装置１００の動作を説明するためのフロー図である。
【００２８】
図２に示すように、ステップＳＴ２０１において、引継装置１０４は、ＲＬＣコネクションの切替かを判断し、ＲＬＣコネクションの切替である時には、引継装置１０４は、現用装置１０１のＲＬＣ機能部１０１−３にＲＬＣコネクション切替の指示を与える（ステップＳＴ２０２）。次に、現用装置１０１のＲＬＣ機能部１０１−３は、ＲＬＣコネクション情報保持部１０１−４に保持された対向通信装置との間のＲＬＣコネクションに関する情報（ＲＬＣコネクション情報）のうちＲＳＮ値とＨＦＮ値を、予備装置１０２のＲＬＣ機能部１０２−５へ通知する（ステップＳＴ２０３）。
【００２９】
この時に、ＲＬＣ機能部１０１−３は、ＲＳＮ値とＨＦＮ値を上位レイヤ部１０１−５を介して上位レイヤ間共有メモリ部１０３に通知して一旦保持させる。次に、予備装置１０２の上位レイヤ部１０２−５は、上位レイヤ間共有メモリ部１０３に保持されたＲＳＮ値とＨＦＮ値を読み出してＲＬＣ機能部１０２−３へ通知する。
【００３０】
次に、合成装置１０５は、ＲＬＣ機能部１０２−３へ通知されたＲＳＮ値とＨＦＮ値をＲＬＣコネクション情報保持部１０２−４に通知してＲＬＣコネクション情報保持部１０２−４が保持しているＲＬＣコネクション情報にＲＳＮ値とＨＦＮ値を上書きする（ステップＳＴ２０４）。
【００３１】
この後に、合成装置１０５は、予備装置１０２のＲＬＣ機能部１０２−３に指示して対向通信装置に対してリセットコマンド（ＲＥＳＥＴ−ＰＤＵ）を送信させることにより、対向通信装置とＲＬＣコネクションをリセットさせる（ステップＳＴ２０５）。次に、合成装置１０５は、予備装置１０２に現用装置としての処理を開始させる（ステップＳＴ２０６）。これによって、対向通信装置との間のＲＬＣコネクションを正常に切替ることができる。
【００３２】
なお、合成装置１０５は、通常運用中に、現用装置１０１の上位レイヤ部１０１−５で、ＡＭＤデータ要求信号に上位レイヤ部１０１−５とＲＬＣ機能部１０１−３との間の送達確認に使用する送達確認識別子を付加して、ＲＬＣ機能部１０１−３へデータの転送要求を行なう機能を有する。
【００３３】
また、合成装置１０５は、通常運用中に、現用装置１０１のＲＬＣ機能部１０１−３で、上位レイヤ部１０１−５から転送要求されたデータの送達確認がとれた時に、確認信号を上位レイヤ部１０１−５に通知する機能を有する。
【００３４】
また、合成装置１０５は、通常運用中に、現用装置１０１の上位レイヤ部１０１−５で、ＲＬＣ機能部１０１−３から確認信号を受信した時に、送達確認待ちで上位レイヤ間共有メモリ部１０３に保持していた送信データの中から、送達確認のとれたデータを削除する機能を有する。
【００３５】
また、合成装置１０５は、ＲＬＣコネクション切替後に、切替先の現用装置となった予備装置１０２の上位レイヤ部１０２−５が、ＲＬＣコネクション切替前に送達確認のとれていないデータをＲＬＣ機能部１０２−３に対して再送する機能を有する。
【００３６】
本発明の一実施の形態においては、現用装置１０１から予備装置１０２へのＲＬＣコネクション切替時に、現用装置１０１のＲＬＣコネクション情報のＲＳＮ値及びＨＦＮ値のみを予備装置１０２に引き継げばよいから、適正にかつ簡易に対向通信装置との間のＲＬＣコネクションを切替ることができる。
【００３７】
【発明の効果】
以上説明したように、本発明によれば、対向通信装置との間のＲＬＣコネクションが切断しないように適正にかつ簡易に現用装置から予備装置へのＲＬＣコネクション切替を行うことができる。
【図面の簡単な説明】
【図１】本発明の一実施の形態に係るＲＬＣ機能付通信装置の構成を示すブロック図
【図２】本発明の一実施の形態に係るＲＬＣ機能付通信装置の動作を説明するためのフロー図
【符号の説明】
１００　ＲＬＣ機能付通信装置
１０１　現用装置
１０２　予備装置
１０３　上位レイヤ間共有メモリ部
１０４　引継装置
１０５　合成装置
１０１−１、１０２−１　受信処理部
１０１−２、１０２−２　送信処理部
１０１−３、１０２−３　ＲＬＣ機能部
１０１−４、１０２−４　ＲＬＣコネクション情報保持部
１０１−５、１０２−５　上位レイヤ部
【図１】
2004147203.tif 000003
【図２】
2004147203.tif 000004